(57)【要約】      （修正有）【課題】湾曲した筒状の収納部（インサート）に同曲率にて湾曲した丸棒状の伸縮部（アーム）を挿入し、筒状の収納部（インサート）から丸棒状（アーム）を所望な長さを保った状態として、円滑な伸縮動作を行うことができるアーム装置を提供する。【解決手段】アーム部３０は、インサート部２０に収納される側の基端部分３０Ａの側面に、突出するように形成されたピン５０と、ピン５０の外径より大きい内径によって形成された穴を側面に有し、ピン５０が穴に挿入されることにより、アーム部３０のうち、インサート部２０に収納される側の基端部分３０Ａを覆うように、ピン５０によって連結されたアームパーツ４０とを備える。【選択図】図３
0003144401.tif 000002
【実用新案登録請求の範囲】
【請求項１】
アーム部と、当該アーム部を収納するインサート部とを有し、前記アーム部及び前記インサート部がそれぞれ対応して湾曲するように形成されたアーム装置において、
前記アーム部は、
前記インサート部に収納される側の基端部分の側面に、突出するように形成されたピンと、
前記ピンの外径より大きい内径によって形成された穴を側面に有し、前記ピンが前記穴に挿入されることにより、前記アーム部のうち、前記インサート部に収納される側の基端部分を覆うように、前記ピンによって連結されたアームパーツと、
前記アームパーツの内部に設けられ、前記ピンの長手方向と直交する方向であって、かつ前記アーム部の移動方向と直交する方向に伸縮するコイルばねと、
前記コイルばねの先端に取り付けられた球と
を備え、
前記インサート部は、
前記ピンの外径より大きい幅を有し、前記インサート部の長手方向に沿って形成されたガイド溝と、
前記球の径より小さい径を有し、前記アーム部を伸縮させる際に前記球が通過する通過線に沿って所定間隔毎に設けられた伸縮停止穴と
を備えるアーム装置。
【考案の詳細な説明】
【技術分野】
【０００１】
本考案は、アーム装置に関する。
【背景技術】
【０００２】
ヘッドホンは、ユーザが当該ヘッドホンを頭部に装着する際、ユーザの頭部の大きさに応じて、当該ヘッドホンの大きさを調整するためのアーム装置を有する。このアーム装置としては、種々のものが提案及び開発されている（例えば特許文献１及び２参照）。
以下、アーム装置に関する文献名を記載する。
【特許文献１】特開２００４−９６７９２号公報
【特許文献２】特開平８−１８２０８６号公報
【考案の開示】
【考案が解決しようとする課題】
【０００３】
湾曲した筒状の収納部（インサート）に同曲率にて湾曲した丸棒状の伸縮部（アーム）を挿入し、筒状の収納部（インサート）から丸棒状（アーム）を所望な長さを保った状態として、円滑な伸縮動作を行うことができるアーム装置を提供することを目的とする。
【課題を解決するための手段】
【０００４】
本考案の一態様によるアーム装置は、
アーム部と、当該アーム部を収納するインサート部とを有し、前記アーム部及び前記インサート部がそれぞれ対応して湾曲するように形成されたアーム装置において、
前記アーム部は、
前記インサート部に収納される側の基端部分の側面に、突出するように形成されたピンと、
前記ピンの外径より大きい内径によって形成された穴を側面に有し、前記ピンが前記穴に挿入されることにより、前記アーム部のうち、前記インサート部に収納される側の基端部分を覆うように、前記ピンによって連結されたアームパーツと、
前記アームパーツの内部に設けられ、前記ピンの長手方向と直交する方向であって、かつ前記アーム部の移動方向と直交する方向に伸縮するコイルばねと、
前記コイルばねの先端に取り付けられた球と
を備え、
前記インサート部は、
前記ピンの外径より大きい幅を有し、前記インサート部の長手方向に沿って形成されたガイド溝と、
前記球の径より小さい径を有し、前記アーム部を伸縮させる際に前記球が通過する通過線に沿って所定間隔毎に設けられた伸縮停止穴と
を備える。
【考案の効果】
【０００５】
本考案のアーム装置によれば、湾曲した筒状の収納部（インサート）に同曲率にて湾曲した丸棒状の伸縮部（アーム）を挿入し、筒状の収納部（インサート）から丸棒状（アーム）を所望な長さを保った状態として、円滑な伸縮動作を行うことができる。
【考案を実施するための最良の形態】
【０００６】
以下、本考案の実施の形態について図面を参照して説明する。
【０００７】
図１に、本考案の実施の形態によるアーム装置１０の構成を示す。このアーム装置１０は、例えば図示しないヘッドホンの一部を構成し、ユーザが当該ヘッドホンを頭部に装着する際、ユーザの頭部の大きさに応じて、当該ヘッドホンの長さを調整するための装置である。なお、図１（ａ）は背面図を示し、図１（ｂ）は正面図を示し、図１（ｃ）は右側面図を示す。
【０００８】
図１に示すように、アーム装置１０は、アーム部３０と、当該アーム部３０を収納する筒状のインサート部２０とを有する。インサート部２０とアーム部３０とは、同一の曲率で湾曲するように形成され、例えばヘッドホンを装着するユーザが、インサート部２０内部にアーム部３０を収納したり、又はインサート部２０内部からアーム部３０を引出すことにより、アーム装置１０全体を伸縮させる。
【０００９】
なお、図２（ａ）は、アーム部３０の全体構成を示し、図２（ｂ）は、アーム部３０の先端付近の詳細構成を示す。また、図３（ａ）は、図１（ｃ）におけるＡ−Ａ線に沿って切断した場合の断面図を示し、図３（ｂ）は、図３（ａ）におけるアーム部３０の先端付近の詳細構成を示す断面図を示し、図３（ｃ）は、図３（ｂ）におけるＤ−Ｄ線に沿って切断した場合の断面図を示す。
【００１０】
アーム部３０は、基端部分３０Ａと、当該基端部分３０Ａを除く本体部分３０Ｂとからなり、基端部分３０Ａの径は、当該基端部分３０Ａを除く本体部分３０Ｂの径より小さくなるように形成されている。アーム部３０の基端部分３０Ａの側面には、ピン５０が突出するように形成され、アームパーツ４０が、基端部分３０Ａを覆うように、ピン５０によって連結されている。
【００１１】
具体的には、アームパーツ４０の側面には、ピン５０の外径より大きい内径を有する穴４０Ａが形成され、アーム部３０の基端部分３０Ａの側面には、ピン５０の外径より小さい内径を有する図示しない穴が形成される。
【００１２】
そして、ピン５０が、アームパーツ４０の穴４０Ａに挿入され、さらに当該ピン５０が、アーム部３０の基端部分３０Ａの穴（図示せず）に圧入されることにより、アーム部３０の基端部分３０Ａとアームパーツ４０とが連結される。  
【００１３】
これにより、アームパーツ４０は、インサート部２０内において、ピン５０を回動軸として、図３（ｂ）中の矢印に示す方向に、僅かに回動することができる可動性を有する。
【００１４】
このように、インサート部２０内部にアーム部３０を収納したり、又はインサート部２０内部からアーム部３０を引出す際には、アームパーツ４０が、ピン５０を回動軸として僅かに回動しながら、インサート部２０内を摺動する。
【００１５】
これにより、インサート部２０とアーム部３０それぞれの曲率の誤差を吸収して、アームパーツ４０がインサート部２０内を摺動する際に起こり得る引掛かりを抑制し、インサート部２０内部に対するアーム部３０の収納及び引出しを滑らかに行うことができる。
【００１６】
ところで、インサート部２０には、ピン５０の外径より大きい幅を有するガイド溝６０が、インサート部２０の長手方向に沿って形成されている。従って、インサート部２０内部にアーム部３０を収納する際、又はインサート部２０内部からアーム部３０を引出す際には、ピン５０の基端部分が当該ガイド溝６０を摺動しながら、アーム部３０が動くことにより、アーム部３０が回転しながら移動することを抑制することができる。
【００１７】
このようにしてインサート部２０からアーム部３０を引き出し又は押し込むことにより、ピン５０がインサート部２０のガイド溝６０の端部６０Ａ又は６０Ｂに到達すると、アーム部３０の引き出しによる伸張又は押し込みによる縮小動作が停止する。すなわち、ガイド溝６０の端部６０Ａ及び６０Ｂは、アーム部３０の伸張及び縮小の限界位置として機能する。なお、ピン５０がガイド溝６０の端部６０Ａに到達した後、さらにアーム部３０に対して引張り力が加わった場合であっても、アーム部３０がインサート部２０から抜け落ちない程度の十分な強度をインサート部２０に確保している。
【００１８】
ところで、アームパーツ４０内部には、ピン５０の長手方向と直交する方向であって、かつ当該アーム部３０の移動方向と直交する方向に伸縮するコイルばね７０が設けられている。このコイルばね７０の先端には、球８０が取り付けられている。
【００１９】
一方、インサート部２０には、球８０の径より小さい径を有する伸縮停止穴９０が、アーム部３０を伸縮させる際に球８０が通過する通過線に沿って、所定間隔毎に設けられている。
【００２０】
従って、アーム部３０を伸縮させる際、アームパーツ４０がインサート部２０の内径面を摺動することにより、球８０が伸縮停止穴９０に到達すると、当該球８０の一部が、コイルばね７０の反力によって外側に押し出される。このようにして、アーム部３０を伸縮させる際の位置決めを行っている。
【００２１】
インサート部２０の両端部のうち、アーム部３０が挿入される側の端部には、エンドキャップ１００が取り付けられている。具体的には、インサート部２０の端部の外径面に形成されたおねじ（図示せず）に、エンドキャップ１００の内径面に形成されためねじ（図示せず）を締結することにより、インサート部２０の端部にエンドキャップ１００が取り付けられる。
【００２２】
エンドキャップ１００の内径面側には、アームブッシュ１１０が圧入され、アーム部３０を保持する役割を果たす。これにより、アーム部３０は、アームブッシュ１１０の内径面を摺動しながら伸縮する。
【００２３】
このように本実施の形態によれば、アーム部３０を伸縮させる際には、アームパーツ４０が、ピン５０を回動軸として僅かに回動しながら、インサート部２０内を摺動することにより、インサート部２０とアーム部３０それぞれの曲率の誤差を吸収して製造ばらつきを抑制することができる。また、アームパーツ４０がインサート部２０内を摺動する際に起こり得る引掛かりを抑制して、滑らかにアーム部３０を伸縮させることができる。
【００２４】
なお、上述の実施の形態は一例であって、本考案を限定するものではない。例えば、頭部に装着するマイクロホンとしてのヘッドセットなど、他の種々の装置にアーム装置１０を適用するようにしても良い。
【図面の簡単な説明】
【００２５】
【図１】ａはアームの背面図、ｂはアームの正面図、ｃはアームの右側面図
【図２】ａはアームの全体構成図、ｂはアームの基端付近の詳細図
【図３】ａは図１（ｃ）におけるＡ−Ａ線に沿った断面図、ｂは図３（ａ）におけるアーム部の基端付近の断面図、ｃは図３（ｂ）におけるＤ−Ｄ線に沿った断面図
【符号の説明】
【００２６】
１０  アーム装置
２０  インサート部
３０  アーム部
４０  アームパーツ
５０  ピン
６０  ガイド溝
７０  コイルばね
８０  球
９０  伸縮停止穴
１００  エンドキャップ
１１０  アームブッシュ
【図１】
0003144401.tif 000003
【図２】
0003144401.tif 000004
【図３】
0003144401.tif 000005